【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】画像を撮像するカメラと、
このカメラの撮像方向を移動させる画像コントローラと、
音声を入力し音声データを生成する音声入力手段と、
前記カメラで撮像された画像および前記音声入力手段で生成された音声データを外部の情報通信装置に送信する通信手段と、
前記画像コントローラが前記カメラの撮像方向を移動させている場合、前記画像を前記外部の情報通信装置に送信する処理を継続しつつ前記音声データを前記外部の情報通信装置へ出力する処理を中止するコントローラと、を具備する音声付情報端末。
【請求項２】画像を撮像するカメラと、
このカメラの撮像方向を移動させる画像コントローラと、
音声を入力し音声データを生成する音声入力手段と、
前記カメラで撮像された画像および前記音声入力手段で生成された音声データを前記外部の情報通信装置に送信する通信手段と、
前記画像コントローラが前記カメラの撮像方向を移動させている場合、前記画像を前記外部の情報通信装置に送信する処理を継続しつつ前記音声データを前記外部の情報通信装置へ出力する処理を中止し、前記画像コントローラが前記カメラの撮像方向の移動を停止した場合、前記音声データの前記外部の情報通信装置への出力を再開するコントローラと、を具備する音声付情報端末。
【請求項３】前記コントローラは、前記カメラで撮像された画像の送信タイミングと、前記音声入力手段で生成された音声データの送信タイミングを調整することを特徴とする請求項１又は請求項２のいずれかに記載の音声付情報端末。
【請求項４】前記コントローラは、前記カメラで撮像された画像の解像度に応じて、前記音声入力手段で生成された音声データの送信タイミングを調整することを特徴とする請求項３記載の音声付情報端末。
【請求項５】前記画像コントローラは、前記カメラの撮像方向を縦横または左右に移動させることを特徴とする請求項１又は請求項２のいずれかに記載の音声付情報端末。
【請求項６】前記画像コントローラは前記カメラの撮像方向を移動させている場合カメラ移動信号を前記コントローラに送り、前記コントローラは前記カメラ移動信号に基づいて前記音声データを前記外部の情報通信装置へ出力する処理を中止することを特徴とする請求項１又は請求項２のいずれかに記載の音声付情報端末。
【請求項７】情報通信装置と、この情報通信装置と接続された音声付情報端末とからなる情報端末システムであって、
前記音声付情報端末は、
画像を撮像するカメラと、
このカメラの撮像方向を移動させる画像コントローラと、
音声を入力し音声データを生成する音声入力手段と、
前記カメラで撮像された画像および前記音声入力手段で生成された音声データを外部の情報通信装置に送信する通信手段と、
前記画像コントローラが前記カメラの撮像方向を移動させている場合、前記画像を前記外部の情報通信装置に送信する処理を継続しつつ前記音声データを前記外部の情報通信装置へ出力する処理を中止するコントローラと、を具備することを特徴とする情報端末システム。
【手続補正２】
【補正対象書類名】明細書
【補正対象項目名】０００８
【補正方法】変更
【補正の内容】
【０００８】
【課題を解決するための手段】
この目的を達成するために本発明の音声付情報端末は、画像を撮像するカメラと、このカメラの撮像方向を移動させる画像コントローラと、音声を入力し音声データを生成する音声入力手段と、前記カメラで撮像された画像および前記音声入力手段で生成された音声データを前記外部の情報通信装置に送信する通信手段と、前記画像コントローラが前記カメラの撮像方向を移動させている場合、前記画像を前記外部の情報通信装置に送信する処理を継続しつつ前記音声データを前記外部の情報通信装置へ出力する処理を中止するコントローラと、を備えたものである。
【手続補正３】
【補正対象書類名】明細書
【補正対象項目名】００１０
【補正方法】変更
【補正の内容】
【００１０】
【発明の実施の形態】
本発明の請求項１に記載の発明は、画像を撮像するカメラと、このカメラの撮像方向を移動させる画像コントローラと、音声を入力し音声データを生成する音声入力手段と、前記カメラで撮像された画像および前記音声入力手段で生成された音声データを前記外部の情報通信装置に送信する通信手段と、前記画像コントローラが前記カメラの撮像方向を移動させている場合、前記画像を前記外部の情報通信装置に送信する処理を継続しつつ前記音声データを前記外部の情報通信装置へ出力する処理を中止するコントローラと、を備えたものである。これにより、カメラの移動中に音声データを出力させないようにすることにより、画像コントローラの移動動作によって発生する雑音を除いた音声データを入手することができる。
【手続補正４】
【補正対象書類名】明細書
【補正対象項目名】００１１
【補正方法】変更
【補正の内容】
【００１１】
本発明の請求項２に記載の発明は、画像を撮像するカメラと、このカメラの撮像方向を移動させる画像コントローラと、音声を入力し音声データを生成する音声入力手段と、前記カメラで撮像された画像および前記音声入力手段で生成された音声データを前記外部の情報通信装置に送信する通信手段と、前記画像コントローラが前記カメラの撮像方向を移動させている場合、前記画像を前記外部の情報通信装置に送信する処理を継続しつつ前記音声データを前記外部の情報通信装置へ出力する処理を中止し、前記画像コントローラが前記カメラの撮像方向の移動を停止した場合、前記音声データの前記外部の情報通信装置への出力を再開するコントローラと、を備えたものである。これにより、カメラの移動中に音声データを出力させないようにすることにより、画像コントローラの移動動作によって発生する雑音を除いた音声データを入手することができる。
【手続補正５】
【補正対象書類名】明細書
【補正対象項目名】００１２
【補正方法】変更
【補正の内容】
【００１２】
本発明の請求項３に記載の発明は、請求項１又は請求項２のいずれかに記載の音声付情報端末において、前記コントローラは、前記カメラで撮像された画像の送信タイミングと、前記音声入力手段で生成された音声データの送信タイミングを調整するものである。
【手続補正６】
【補正対象書類名】明細書
【補正対象項目名】００１３
【補正方法】変更
【補正の内容】
【００１３】
本発明の請求項４に記載の発明は、請求項３記載の音声付情報端末において、前記コントローラは、前記カメラで撮像された画像の解像度に応じて、前記音声入力手段で生成された音声データの送信タイミングを調整するものである。
【手続補正７】
【補正対象書類名】明細書
【補正対象項目名】００１４
【補正方法】変更
【補正の内容】
【００１４】
本発明の請求項５に記載の発明は、請求項１又は請求項２のいずれかに記載の音声付情報端末において、前記画像コントローラは、前記カメラの撮像方向を縦横または左右に移動させるものである。
【手続補正８】
【補正対象書類名】明細書
【補正対象項目名】００１５
【補正方法】変更
【補正の内容】
【００１５】
本発明の請求項６に記載の発明は、請求項１又は請求項２のいずれかに記載の音声付情報端末において、前記画像コントローラは前記カメラの撮像方向を移動させている場合カメラ移動信号を前記コントローラに送り、前記コントローラは前記カメラ移動信号に基づいて前記音声データを前記外部の情報通信装置へ出力する処理を中止するものである。これにより、カメラの移動中に音声データを出力させないようにすることにより、画像コントローラの移動動作によって発生する雑音を除いた音声データを入手することができる。
【手続補正９】
【補正対象書類名】明細書
【補正対象項目名】００１６
【補正方法】変更
【補正の内容】
【００１６】
本発明の請求項７記載の発明は、情報通信装置と、この情報通信装置と接続された音声付情報端末とからなる情報端末システムであって、前記音声付情報端末は、画像を撮像するカメラと、このカメラの撮像方向を移動させる画像コントローラと、音声を入力し音声データを生成する音声入力手段と、前記カメラで撮像された画像および前記音声入力手段で生成された音声データを外部の情報通信装置に送信する通信手段と、前記画像コントローラが前記カメラの撮像方向を移動させている場合、前記画像を前記外部の情報通信装置に送信する処理を継続しつつ前記音声データを前記外部の情報通信装置へ出力する処理を中止するコントローラと、を備えたものである。これにより、カメラの移動中に音声データを出力させないようにすることにより、画像コントローラの移動動作によって発生する雑音を除いた音声データを入手することができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００８５
【補正方法】変更
【補正の内容】
【００８５】
【発明の効果】
以上のように本発明は、カメラの撮像方向の移動により発生する雑音を制御することで所望の情報を得ることができるネットワークシステムを構築することができ、その実用的効果は大なるものがある。